(57)【要約】  【課題】  画像メモリから画像データが削除された場合であっても、送受信履歴情報を一覧表示する場合にサムネイル画像を表示することができる通信装置を提供する。  【解決手段】  送受信した一又は複数ページからなる画像データを順次画像メモリに蓄積し、送受信の相手先に関する情報及び送受信時刻を含む送受信履歴情報と対応付けて画像データを表示出力する通信装置において、画像メモリに蓄積された各画像データの所定ページのみを抽出して圧縮画像データを生成し、送受信履歴情報と対応付けて記憶しておき、圧縮画像データを送受信履歴情報と対応付けて表示する。生成した圧縮画像データは、送受信履歴情報から対応する項目を削除する場合に削除する。【選択図】        図２
2007053583.tif 000002
【特許請求の範囲】
【請求項１】
送受信した一又は複数ページからなる画像データを順次画像メモリに蓄積し、送受信の相手先に関する情報及び送受信時刻を含む送受信履歴情報と対応付けて画像データを表示出力する通信装置において、前記画像メモリに蓄積された各画像データの所定ページのみを抽出して圧縮画像データを生成し、送受信履歴情報と対応付けて記憶しておき、前記圧縮画像データを前記送受信履歴情報と対応付けて表示するようにしてあることを特徴とする通信装置。
【請求項２】
生成した圧縮画像データは、前記送受信履歴情報から対応する項目を削除する場合に削除するようにしてあることを特徴とする請求項１記載の通信装置。
【発明の詳細な説明】
【技術分野】
【０００１】
本発明は、ファクシミリ通信を行う画像データを画像メモリへ格納してから送受信する通信装置に関し、特にジャーナル表示を行う場合に、送受信に係る画像データを削除した場合であっても圧縮画像データを対応付けて表示することが可能な通信装置に関する。
【背景技術】
【０００２】
従来、ファクシミリ装置等の通信装置は、スキャナ等の画像読取装置を用いて送信対象となる画像データを読取り、読取った画像データを画像メモリに記憶し、所定のタイミング、例えば画像メモリへ蓄積されている画像データ容量の割合が所定値を超えた場合、画像読取りを開始してから一定時間経過した場合等に、画像メモリに記憶してある画像データを送信先へ送信している。画像データを受信した通信装置では、受信した画像データを画像メモリへ記憶し、所定のタイミング、例えば画像メモリへ蓄積されている画像データ容量の割合が所定値を超えた場合、画像データの受信を開始してから一定時間経過した場合等に、画像メモリに記憶してある画像データを記録紙へ印刷出力する。
【０００３】
また、ファクシミリ装置は、画像データを送信した時刻、受信した時刻、送信先情報、受信元情報、通信が正常終了したか否かに関する情報等を送受信履歴情報として記憶する。送受信履歴情報を一覧表示する場合、それぞれの項目がどの画像データに対応するのか目視確認することを容易にすべく、送受信に係る画像データの所定ページ、例えば先頭ページの画像データを画像メモリから読出し、項目ごとに対応付けたサムネイル画像として表示することが多い。これにより、どの原稿の送受信が正常に行われ、異常終了しているのか、目視確認することが容易となる。
【特許文献１】特開平１１−２５０２３７号公報
【発明の開示】
【発明が解決しようとする課題】
【０００４】
しかし、上述した従来のファクシミリ装置で送受信履歴情報を一覧表示する場合、画像読取装置で読取って画像メモリに記憶してある画像データ、又は受信して画像メモリに記憶してある画像データを項目ごとに対応付けて表示している。したがって、画像メモリから対応する画像データが削除された場合、送受信履歴情報を一覧表示したときであっても、削除された画像データに対応する項目には、サムネイル画像が表示されないという問題点があった。
【０００５】
本発明は斯かる事情に鑑みてなされたものであり、画像メモリから画像データが削除された場合であっても、送受信履歴情報を一覧表示する場合にサムネイル画像を表示することができる通信装置を提供することを目的とする。
【課題を解決するための手段】
【０００６】
上記目的を達成するために第１発明に係る通信装置は、送受信した一又は複数ページからなる画像データを順次画像メモリに蓄積し、送受信の相手先に関する情報及び送受信時刻を含む送受信履歴情報と対応付けて画像データを表示出力する通信装置において、前記画像メモリに蓄積された各画像データの所定ページのみを抽出して圧縮画像データを生成し、送受信履歴情報と対応付けて記憶しておき、前記圧縮画像データを前記送受信履歴情報と対応付けて表示するようにしてあることを特徴とする。
【０００７】
第１発明の通信装置では、画像メモリに蓄積された各画像データの所定ページのみを抽出して圧縮画像データを生成し、送受信履歴情報と対応付けて記憶しておく。送受信履歴情報を例えば一覧表示する場合、圧縮画像データを送受信履歴情報と対応付けて表示する。これにより、送受信履歴情報のどの項目がどの画像データの送受信に係る情報であるのか目視で確認することが容易となる。また、画像メモリに蓄積してある画像データと別個に記憶してある圧縮画像データを用いることにより、例えば画像メモリから画像データが削除された場合であっても圧縮画像データを対応付けて表示することができ、送受信履歴情報のどの項目がどの画像データの送受信に係る情報であるのか目視で確認することが可能となる。
【０００８】
第２発明に係る通信装置は、第１発明において、生成した圧縮画像データは、前記送受信履歴情報から対応する項目を削除する場合に削除するようにしてあることを特徴とする。
【０００９】
第２発明の通信装置では、生成した圧縮画像データは、送受信履歴情報から対応する項目を削除する場合に削除する。これにより、送受信履歴情報の対応する項目が削除されない限り、対応する圧縮画像データが記憶されていることから、例えば画像メモリから画像データが削除された場合であっても圧縮画像データを対応付けて表示することができ、送受信履歴情報のどの項目がどの画像データの送受信に係る情報であるのか目視で確認することが可能となる。
【発明の効果】
【００１０】
本発明によれば、送受信履歴情報のどの項目がどの画像データの送受信に係る情報であるのか目視で確認することが容易となる。また、画像メモリに蓄積してある画像データと別個に記憶してある圧縮画像データを用いることにより、例えば画像メモリから画像データが削除された場合であっても圧縮画像データを送受信履歴情報の所定の項目と対応付けて表示することができ、送受信履歴情報のどの項目がどの画像データの送受信に係る情報であるのか目視で確認することが可能となる。
【発明を実施するための最良の形態】
【００１１】
以下、本発明をその実施の形態を示す図面を参照して具体的に説明する。図１は、本発明の実施の形態に係る通信装置としてのファクシミリ装置の構成を示すブロック図である。
【００１２】
図１において、１はファクシミリ装置を示しており、ファクシミリ装置１は、ＣＰＵで構成されている主制御部１１を備えている。主制御部１１は、バス３０を介して以下のハードウェア各部と接続され、ハードウェア各部の動作を制御すると共に、ＲＯＭ１４に格納された種々のプログラムを実行する。
【００１３】
モデム１２は、送受信データの変復調、具体的には本来はデジタル信号である送信データをアナログの音声信号に変調して後述するＮＣＵ１３を介して通信回線１００へ送出し、また逆に通信回線１００からＮＣＵ１３を介して受信したアナログの音声信号をデジタル信号に復調する。
【００１４】
ＮＣＵ１３は、通信回線１００とファクシミリ装置１との接続を制御するとともに、通信相手の電話番号（ファクシミリ番号）に応じたダイヤルパルスを送出する機能及び着信を検出する機能を有している。なお、この通信回線１００は、図示されていない一般公衆回線に接続されている。
【００１５】
ＲＯＭ１４は、ファクシミリ装置１の動作に必要な種々のソフトウェアのプログラムを格納している。またＲＡＭ１５は、例えばＳＲＡＭ、フラッシュメモリ等で構成され、ソフトウェアの実行時に発生する一時的なデータを記憶する。なお、ＲＡＭ１５にフラッシュメモリを使用した場合、停電が発生した場合、ファクシミリ装置１の移動等のために電源が遮断された場合等であっても記憶内容が失われることはない。
【００１６】
ＲＡＭ１５には、画像データを送受信した履歴情報である送受信履歴情報１５１を記憶する。図２は、ＲＡＭ１５に記憶する送受信履歴情報１５１のデータ構成の例示図である。送受信履歴情報１５１は、送信先情報、送信元情報、送信（受信）時刻、及び画像メモリ１６上の画像データのアドレス情報で構成してある。本実施の形態では、画像データの所定頁の画像データを圧縮した圧縮画像データの格納されているアドレスに関する情報を記憶する。なお、アドレス情報だけでなく、圧縮画像データのファイル名、ポインタ等であっても良い。
【００１７】
画像メモリ１６は、例えばＤＲＡＭ、フラッシュメモリ等で構成され、後述する読取部１９が読取った画像データを格納し、また外部から通信回線１００及びモデム１２を介して受信した画像データを格納する。また、画像データは一又は複数ページで一組のデータを構成していることから、所定頁の画像データ、例えば先頭頁の画像データを圧縮した圧縮画像データを生成し、同じく画像メモリ１６へ記憶する。
【００１８】
表示部１７は、液晶表示装置（ＬＣＤ）、ＣＲＴディスプレイ等の表示装置であり、ファクシミリ装置１の動作状態を表示し、ファクシミリ通信により送信すべき原稿の画像データ及び受信した画像データ、並びに通信の利用状況等の表示を行う。
【００１９】
操作部１８は、ファクシミリ装置１を操作するために必要な文字キー、テンキー（数字キー）、ワンタッチダイヤルキー、短縮キー及び各種のファンクションキーを備えている。また読取部１９は、例えばＣＣＤイメージセンサ等を備えたスキャナ等の画像読取装置により原稿画像の読取りを行う。
【００２０】
出力部２０は、レーザプリンタ装置、電子写真方式のプリンタ装置等の画像形成装置であり、ファクシミリ通信により受信した画像データをハードコピーとして、Ａ３縦、Ｂ４縦、Ａ４縦、Ｂ５横、Ａ５横等の各サイズの用紙から最適なサイズの記録紙を選択し、選択した記録紙上に画像データを出力する。
【００２１】
以下、ファクシミリ装置１の動作について説明する。図３は、本発明の実施の形態に係る通信装置としてのファクシミリ装置１の主制御部１１の画像データ受信後の処理手順を示すフローチャートである。
【００２２】
ファクシミリ装置１の主制御部１１が画像データを受信した場合、主制御部１１は、受信した画像データを画像メモリ１６へ記憶し（ステップＳ３０１）、先頭頁に係る画像データを抽出する（ステップＳ３０２）。主制御部１１は、抽出した先頭頁に係る画像データを圧縮処理して圧縮画像データを生成し（ステップＳ３０３）、画像メモリの異なる記憶領域へ記憶する（ステップＳ３０４）。主制御部１１は、圧縮画像データを記憶した記憶領域を示すアドレス情報を、ＲＡＭ１５の送受信履歴情報１５１の受信情報と対応付けて記憶する（ステップＳ３０５）。
【００２３】
図４は、本発明の実施の形態に係る通信装置としてのファクシミリ装置１の主制御部１１の送受信履歴情報の一覧表示の処理手順を示すフローチャートである。ファクシミリ装置１の主制御部１１は、操作部１８から送受信履歴情報を一覧表示する旨を指示する一覧表示コマンドを受け付けたか否かを判断し（ステップＳ４０１）、主制御部１１が一覧表示コマンドを受け付けたと判断した場合（ステップＳ４０１：ＹＥＳ）、主制御部１１は、ＲＡＭ１５の送受信履歴情報１５１を照会し、表示に係る送受信履歴情報の項目に対応する圧縮画像データのアドレス情報を抽出する（ステップＳ４０２）。
【００２４】
主制御部１１は、抽出したアドレス情報に記憶してある圧縮画像データを画像メモリ１６から読出し（ステップＳ４０３）、読出した圧縮画像データを表示に係る送受信履歴情報の各項目と対応付けて表示部１７へ送出する（ステップＳ４０４）。
【００２５】
図５は、本実施の形態に係る送受信履歴情報の一覧表示画面の例示図である。図５は画像データを受信した履歴を一覧表示した場合の例であり、受信した時刻に対応付けて、受信した画像データの所定頁、例えば先頭頁を圧縮した圧縮画像データを破線で囲まれた画像データ表示領域に表示している。これにより、表示されている受信履歴が、どの画像データを受信した場合の履歴情報であるか目視で容易に確認することが可能となる。
【００２６】
送受信履歴情報１５１から所定の項目を削除する場合、対応する圧縮画像データを画像メモリ１６から削除する。図６は、本発明の実施の形態に係る通信装置としてのファクシミリ装置１の主制御部１１の送受信履歴情報１５１の削除処理の手順を示すフローチャートである。
【００２７】
ファクシミリ装置１の主制御部１１は、操作部１８から送受信履歴情報の所定の項目の削除を要求する削除要求コマンドを受け付けたか否かを判断し（ステップＳ６０１）、主制御部１１が、削除要求コマンドを受け付けたと判断した場合（ステップＳ６０１：ＹＥＳ）、主制御部１１は、送受信履歴情報１５１から削除の対象となる項目に対応付けて記憶してあるアドレス情報を抽出する（ステップＳ６０２）。
【００２８】
主制御部１１は、抽出したアドレス情報に記憶してある圧縮画像データを画像メモリ１６から削除し（ステップＳ６０３）、削除の対象となる項目を送受信履歴情報１５１から削除する（ステップＳ６０４）。
【００２９】
なお、上述した例では、ファクシミリ画像を受信した場合について説明しているが、ファクシミリ画像を送信する場合、送受信を一括管理する場合等についても同様の処理を行うことが可能である。
【００３０】
以上のように本実施の形態によれば、送受信履歴情報１５１のどの項目がどの画像データの送受信に係る情報であるのか目視で確認することが容易となる。また、画像メモリ１６に蓄積してある画像データと別個に記憶してある圧縮画像データを用いることにより、例えば画像メモリ１６から画像データが削除された場合であっても圧縮画像データを送受信履歴情報１５１の所定の項目と対応付けて表示することができ、送受信履歴情報１５１のどの項目がどの画像データの送受信に係る情報であるのか目視で確認することが可能となる。
【００３１】
なお、本実施の形態ではファクシミリ装置を例として説明しているが、ファクシミリ複合装置、ファクシミリデータ中継装置等、原稿から読取った画像データをファクシミリデータとして送受信する全ての装置に本発明を適用できることは言うまでもない。
【図面の簡単な説明】
【００３２】
【図１】本発明の実施の形態に係る通信装置としてのファクシミリ装置の構成を示すブロック図である。
【図２】ＲＡＭに記憶する送受信履歴情報のデータ構成の例示図である。
【図３】本発明の実施の形態に係る通信装置としてのファクシミリ装置の主制御部の画像データ受信後の処理手順を示すフローチャートである。
【図４】本発明の実施の形態に係る通信装置としてのファクシミリ装置の主制御部の送受信履歴情報の一覧表示の処理手順を示すフローチャートである。
【図５】本実施の形態に係る送受信履歴情報の一覧表示画面の例示図である。
【図６】本発明の実施の形態に係る通信装置としてのファクシミリ装置の主制御部の送受信履歴情報の削除処理の手順を示すフローチャートである。
【符号の説明】
【００３３】
１  ファクシミリ装置（通信装置）
１１  主制御部
１２  モデム
１３  ＮＣＵ
１４  ＲＯＭ
１５  ＲＡＭ
１６  画像メモリ
１７  表示部
１８  操作部
１９  読取部
２０  出力部
１５１  送受信履歴情報
【図１】
2007053583.tif 000003
【図２】
2007053583.tif 000004
【図３】
2007053583.tif 000005
【図４】
2007053583.tif 000006
【図５】
2007053583.tif 000007
【図６】
2007053583.tif 000008